(57)【特許請求の範囲】
【請求項１】
建具体の上部がハンガーで上レールに走行自在に吊り下げ支持され、この建具体の下部のガイド部と下レールのガイド受部が摺動自在に嵌まり合い、かつガイド部の下端部とガイド受部の上端部が上下方向に離隔して走行方向と直角方向に振れ止めされた上吊り式の建具であって、
前記ハンガーは、前記上レールの幅方向に離隔した２つのローラ支持部に回転自在に接する幅方向に離隔した２つのガイドローラを有したハンガー本体と、このハンガー本体と建具体を連結する連結手段を備え、
前記連結手段は、ハンガー本体に、吊り下げ支持された状態よりも上方には移動可能に吊り下げ支持した上ねじ部材と、この上ねじ部材と螺合し前記建具体の上部に取付けた下ねじ部材を有し、
前記２つのガイドローラを上レールの２つのローラ支持部に接して上レールに支持すると共に、前記上ねじ部材を吊り下げ支持したハンガー本体と、前記下ねじ部材を取り付けると共に、前記下レールに載置した建具体が、建具体走行方向に離れた状態で、前記上ねじ部材を、その下端部が建具体の上面よりも上方となる位置まで上方に移動し、前記ハンガー本体を上レールに沿って建具体に向けて走行することで、前記上ねじ部材を、自重で下ねじ部材に当接できるようにし、
前記上ねじ部材と下ねじ部材を螺合することで建具体が上方に移動し、前記ガイド部の下端部とガイド受部の上端部が離隔した吊り下げ支持状態になるようにし、
前記ハンガー本体に持ち上り規制手段を、ハンガー本体よりも下方に突出して建具体の上面と対向して設け、
前記建具体の上面が持ち上り規制手段に当接することで当該建具体下部のガイド部の下端部と下レールのガイド受部の上端部が上下方向に離れてガイド部とガイド受部が外れないように建具体の上方への移動を規制するようにしたことを特徴とする建具。
【請求項２】
ハンガー本体の一部分を下向きに折り曲げて持ち上り規制手段とした請求項１記載の建具。
【請求項３】
上ねじ部材を雄ねじ部材とし、下ねじ部材を雌ねじ部材とし、
前記雄ねじ部材にロック用のナットを螺合し、このナットを建具体の上面に締め付けることで雄ねじ部材の回り止めとした請求項１又は２項に記載の建具。
【発明の詳細な説明】
【技術分野】
【０００１】
本発明は、障子、目隠しパネル、間仕切りパネルなどの建具体を走行自在に吊り下げ支持した上吊り式の建具に関する。
【背景技術】
【０００２】
従来から上吊り式の建具が種々提案されている。
例えば、特許文献１に開示したように、戸板（建具体）の上端に転動車（ガイドローラ）を備えたランナーを取付け、この戸板の下端にガイドピンを取付け、前記転動車を上レールに接して戸板を走行自在に吊り下げ支持すると共に、ガイドピンを下枠部材の溝状レール内に摺動自在に挿入して戸板の下部が走行方向と直角方向に振れ動かないように振れ止めした上吊り式の引戸が提案されている。
【０００３】
また、特許文献２に開示したように、上レールに支持されるランナー本体と、このランナー本体に取付けたランナー台と、戸パネル（建具体）に取付けたホルダーでランナーユニットとし、ランナー本体を上レールに支持した状態で、そのランナー台とホルダーを連結して戸パネルを上ガイドレールに走行自在に吊り下げ支持できるようにした上吊り式の建具が提案されている。
【特許文献１】特開２００２−７０４０１号公報
【特許文献２】特開２０００−２２６９６２号公報
【発明の開示】
【発明が解決しようとする課題】
【０００４】
前述した特許文献１に開示した上吊り式の引戸においては、建具体にガイドローラを備えたランナーを取付け、その状態で建具体を持ち上げてガイドローラを上レールに接して吊り下げ支持するので、その建具体を上レールに吊り下げ支持する作業がやりづらい。
【０００５】
前述した特許文献２に開示した上吊り式の建具であれば、ランナー台を取付けたランナー本体を上レールに支持し、建具体にホルダーを取付け、この状態で建具体を持ち上げてホルダーとランナー台を連結して建具を吊り下げ支持できるが、建具体を面外方向（走行方向と直角方向）に移動してホルダーとランナー台を連結するので、その作業がやりづらいから、結局は、建具体を上レールに吊り下げ支持する作業がやりづらい。
【０００６】
本発明の目的は、建具体を上レールに簡単に吊り下げ支持することができるようにした建具を提供することである。
【課題を解決するための手段】
【０００７】
本発明は、建建具体の上部がハンガーで上レールに走行自在に吊り下げ支持され、この建具体の下部のガイド部と下レールのガイド受部が摺動自在に嵌まり合い、かつガイド部の下端部とガイド受部の上端部が上下方向に離隔して走行方向と直角方向に振れ止めされた上吊り式の建具であって、
前記ハンガーは、前記上レールの幅方向に離隔した２つのローラ支持部に回転自在に接する幅方向に離隔した２つのガイドローラを有したハンガー本体と、このハンガー本体と建具体を連結する連結手段を備え、
前記連結手段は、ハンガー本体に、吊り下げ支持された状態よりも上方には移動可能に吊り下げ支持した上ねじ部材と、この上ねじ部材と螺合し前記建具体の上部に取付けた下ねじ部材を有し、
前記２つのガイドローラを上レールの２つのローラ支持部に接して上レールに支持すると共に、前記上ねじ部材を吊り下げ支持したハンガー本体と、前記下ねじ部材を取り付けると共に、前記下レールに載置した建具体が、建具体走行方向に離れた状態で、前記上ねじ部材を、その下端部が建具体の上面よりも上方となる位置まで上方に移動し、前記ハンガー本体を上レールに沿って建具体に向けて走行することで、前記上ねじ部材を、自重で下ねじ部材に当接できるようにし、
前記上ねじ部材と下ねじ部材を螺合することで建具体が上方に移動し、前記ガイド部の下端部とガイド受部の上端部が離隔した吊り下げ支持状態になるようにし、
前記ハンガー本体に持ち上り規制手段を、ハンガー本体よりも下方に突出して建具体の上面と対向して設け、
前記建具体の上面が持ち上り規制手段に当接することで当該建具体下部のガイド部の下端部と下レールのガイド受部の上端部が上下方向に離れてガイド部とガイド受部が外れないように建具体の上方への移動を規制するようにしたことを特徴とする建具である。
【０００９】
本発明においては、ハンガー本体の一部分を下向きに折り曲げて持ち上り規制手段とすることができる。
このようにすれば、ハンガー本体を板金加工することで持ち上り規制手段とすることができる。
【００１０】
本発明においては、上ねじ部材を雄ねじ部材とし、下ねじ部材を雌ねじ部材とし、前記雄ねじ部材にロック用のナットを螺合し、このナットを建具体の上面に締め付けることで雄ねじ部材の回り止めとすることができる。
このようにすれば、建具を長期間にわたって使用しても雄ねじ部材が弛むことがなく、建具体を上レールに沿って確実に走行できる。
【発明の効果】
【００１１】
本発明によれば、建具体を下レールに載置すると共に、２つのガイドローラを上レールの２つのローラ支持部に接してハンガー本体を上レールに支持し、この状態で上ねじ部材を上方に移動してハンガー本体を上レールに沿って走行して上ねじ部材を建具体に取付けた下ねじ部材に合致させることで、上ねじ部材が下ねじ部材に自重で当接し、その上ねじ部材を回転して下ねじ部材に螺合することで建具体を持ち上げ、上レールに吊り下げ支持できる。
したがって、建具体を上レールに簡単に吊り下げ支持できる。
また、持ち上り規制手段を設けたことにより、建具体を開閉する際などに建具体に上向力が作用し、建具体が雄ねじ部材とともハンガー本体に対して上方移動することを規制し、ガイド部とガイド受部とが外れることが無いようにできる。
また、建具体を吊り下げ支持するときに雄ねじ部材を回転しすぎて建具体が上方に移動しすぎ、ガイド部とガイド受部が外れることを防止できる。
また、持ち上り規制手段はハンガー本体より下方に突出しているので、ハンガーを上レールに支持する際に邪魔になることがないから、建具体吊り込みの邪魔にならないし、ハンガーを上レールに支持した後に取付ける必要がなく、取り付け忘れすることがない。
【発明を実施するための最良の形態】
【００１２】
本発明の上吊り式の建具は、図１と図２に示すように上レール１と下レール２と建具体３を備えている。
前記建具体３の上部がハンガー４で上レール１に、その上レール１の長手方向（面内方向）に走行自在に吊り下げ支持されている。
前記建具体３の下部のガイド部３ａと下レール２のガイド受部２ａが摺動自在に嵌まり合い、その建具体３の下部が走行方向と直角方向（面外方向）に振れ動かないように振れ止めしてある。
この実施の形態では、ガイド部３ａが下向きの溝形状で、ガイド受部２ａが上向きの突条形状で、その溝内に突条が摺動自在に嵌まり合っている。
これに限ることはなく、例えば、ガイド部３ａを突条形状又は摺動ピンとし、ガイド受部２ａを溝形状とし、その溝内に突条又は摺動ピンが摺動自在に嵌まり合うようにしても良い。
【００１３】
上記上レール１が上部取付部５にブラケット６を介して固着して取付けられる。
前記下レール２が下部取付部７にブラケット８を介して固着して取付けられる。
前記建具体３が上レール１にハンガー４で吊り下げ支持された状態で、建具体３のガイド部３ａの下端部（溝の底面）と下レール部材２のガイド受部２ａの上端部（突条の上面）は上下方向に離隔し、建具体３は吊り下げ支持された状態から前述の離隔した上下寸法Ｓ１だけ下方に移動可能である。
つまり、建具体３のガイド部３ａと下レール２のガイド受部２ａは、ガイド部３ａがガイド受部２ａに対して所定距離（上下寸法Ｓ１）だけ下方に移動できるように嵌まり合っている。
【００１４】
前記建具体３は、上框３０と下框３１と左右の縦框３２を方形状に連結した框組体３３を備え、その框組体３３内にガラスを装着した障子や、前記框組体３３内にルーバーを設けた目隠しパネル、框組体３３内にパネルを装着した間仕切りパネルなどである。図１、図２にはガラス、ルーバー、パネルなどの図示が省略してある。
前記下框３１の幅方向中央部には下向き凹部３１ａを有し、その下向き凹部３１ａの長手方向２ヶ所に一対の樹脂製のブロック体３４がそれぞれ取付けてある。
この各ブロック体３４には、その下面に開口した溝３４ａを有し、その溝３４ａが前述の溝状のガイド部３ａとしてある。
【００１５】
前記上レール１は図２に示すように、所定の幅（面外方向寸法）と高さ（上下寸法）を有する長尺材で、その上レール１は幅方向に離隔した２つのローラ支持部、例えば一側ローラ支持部１０と他側ローラ支持部１１を有している。
例えば、上レール１は図３と図４に示すように幅広い上面板１２と、この上面板１２の幅方向両側寄りに下向きに設けた一側縦板１３、他側縦板１４と、この一側縦板１３の下部に他側縦板１４に向けて設けた一側横板１５と、前記他側縦板１４の下部に一側縦板１３に向けて設けた他側横板１６を備え、その一側横板１５が一側ローラ支持部１０で、他側横板１６が他側ローラ支持部１１である。なお、上面板１２の幅方向他側端と他側横板１６に亘ってＬ字状の板１７が一体的に設けられて上レール１の剛性を大きくしている。
【００１６】
前記下レール２は、図２に示すように所定の幅を有する長尺の横向板２０と、この横向板２０の幅方向中央部に一体的に設けた立上り板２１を有している。
この立上り板２１が前述の突条のガイド受部２ａである。
前記立上り板２１と前記各溝３４ａが嵌まり合っている。
【００１７】
前記ハンガー４は、図２に示すようにハンガー本体４０の幅方向両側に２つのガイドローラを有し、そのガイドローラが前記ローラ支持部に回転自在に接している。例えば、一側ガイドローラ４１、他側ガイドローラ４２が前記一側、他側ローラ支持部１０，１１に接している。
前記ハンガー４は具体的には図３、図４に示すように、ハンガー本体４０と、このハンガー本体４０の幅方向両側に取付けた一側ガイドローラ４１、他側ガイドローラ４２と、このハンガー本体４０を建具体３の上部、例えば上框３０に連結する連結手段４３と、前記ハンガー本体４０に設けた持ち上り規制手段４４を備えている。
前記一側ガイドローラ４１は前記一側ローラ支持部１０（一側横板１５）に沿って回転可能に支持され、他側ガイドローラ４２は前記他側ローラ支持部１１（他側横板１６）に沿って回転可能に支持される。
【００１８】
前記連結手段４３は、ハンガー本体４０に、上方には移動可能に吊り下げ支持した上ねじ部材、例えば雄ねじ部材４５と、この上ねじ部材（雄ねじ部材４５）が螺合する下ねじ部材、例えば雌ねじ部材４６を有し、その雌ねじ部材４６が建具体３の上部、例えば上框３０に固着して取付けられ、その雌ねじ部材４６に雄ねじ部材４５が螺合することでハンガー本体４０と建具体３の上部が連結され、建具体３の上部がハンガー４で上レール１に走行自在に吊り下げ支持される。
【００１９】
図５に示すように前記一側、他側ガイドローラ４１，４２を上レール１に接してハンガー本体４０を上レールに支持し、建具体３を吊り下げ支持する状態、例えば下レール２に載置した状態、つまり下レール２のガイド受部２ａの上端部と下框３１のガイド部３ａの下端部が接している状態で、前記雄ねじ部材４５は建具体３の上面３ｂに当接してハンガー本体４０に対して上方に移動するようにしてある。
【００２０】
このようであるから、図６に示すように建具体３を下レール２に載置し、ハンガー本体４０と一側・他側ガイドローラ４１，４２を上レール１に支持した状態で、ハンガー本体４０を上レール１に沿って矢印ａで示すように走行すると共に、雄ねじ部材４５を矢印ｂで示すように上方に移動し、その下端部を建具体３の上面３ｂに当接し、さらにハンガー本体４０を走行することで図７に示すように雄ねじ部材４５の下端部を雌ねじ部材４６に合致させる。なお、雄ねじ部材４５を下方に移動するスプリング等の弾性材を設けても良い。
これによって、雄ねじ部材４５が雌ねじ部材４６に自重で当接し、その状態で雄ねじ部材４５を回転して雌ねじ部材４６に螺合することで建具体３が上方に移動して図２に示すように建具体２を上レール１に吊り下げ支持できる。この雄ねじ部材４５は回転用の工具を掛けて回転するための工具掛け部を有する。
【００２１】
したがって、建具体３を吊り下げ支持する状態、例えば下レール２に載置し、ハンガー本体４０を上レール１に支持して上レール１に沿って走行し、雄ねじ部材４５の下端部を雌ねじ部材４６に合致させ、雄ねじ部材４５を回転して雌ねじ部材４６に螺合することで、建具体３を上レール１に吊り下げ支持できるので、建具体３を上レール１に簡単に吊り下げ支持できる。
【００２２】
前記雄ねじ部材４５にはロック用のナット４７が螺合してある。
このナット４７を建具体３の上面３ｂに締め付けることで雄ねじ部材４５の弛みを防止している。
前述のようにハンガー本体４０を上レール１に支持するには、例えば上レール１の一側・他側ローラ支持部１０，１１の長手方向任意の位置に、ハンガー本体４０、一側ガイドローラ４１、他側ガイドローラ４２が入り込む大きさの切欠部１０ａ，１１ａを形成し、その切欠部１０ａ，１１ａから入り込ませて長手方向に移動する（図６参照）。
【００２３】
前記持ち上り規制手段４４は、ハンガー本体４０よりも下方に突出して建具体３の上面３ｂと対向している。
前述のようにして建具体３を上レール１に吊り下げ支持した状態で、建具体３が雄ねじ部材４５とともにハンガー本体４０に対して上方に移動すると、その建具体３の上面３ｂが持ち上り規制手段４４に当接し、それ以上建具体３がハンガー本体４０に対して上方に移動しないように規制する。
【００２４】
このようであるから、建具体３を上レール１に沿って走行して開閉する際に建具体３に上向力が作用した時に、建具体３はハンガー本体４０に対して上方に移動するが、その上方への移動量が制限されるから、建具体３のガイド部３ａと下レール２のガイド受部２ａが外れることがないようにできる。
つまり、建具体３の上面３ｂと持ち上り規制手段４４との間の上下寸法Ｓ２は、前述のガイド部３ａとガイド受部２ａとの重なり寸法よりも小さくしてある。
【００２５】
また、前述のようにして建具体３を上レール１に吊り下げ支持する際に、雄ねじ部材４５を回転しすぎて建具体３の上方移動量が多くなると、前述のガイド部３ａとガイド受部２ａが外れることがあるが、前述の持ち上り規制手段４４に建具体３の上面３ｂが当接することで建具体３の上方移動量が規制されるので、雄ねじ部材４５の回転しすぎによって前述のガイド部３ａとガイド受部２ａが外れることがない。
【００２６】
次に、各部材の具体形状を説明する。
前記ハンガー本体４０は横板４０ａとその横板４０ａの幅方向両側に設けた一対の縦板４０ｂで上向きコ字形状で、その一対の縦板４０ｂ間に亘って長手方向一対の軸４８が設けてあり、その各軸４８の長手方向両端部に一側ガイドローラ４１と他側ガイドローラ４２が回転可能にそれぞれ取付けてある。
前記雄ねじ部材４５はねじ杆４５ａと頭部４５ｂを有したボルトとしてあり、そのねじ杆４５ａがハンガー本体４０の横板４０ａに形成した透孔９に挿通し、頭部４５ｂが横板４０ａの上面における透孔４９の周縁に接して吊り下げ支持されていると共に、上方には移動可能である。前記ねじ杆４５ａの頭部４５ｂ寄りを面取り加工して工具掛け部としてある。
前記雌ねじ部材４６は裏板４６ａにナット４６ｂを溶接等で固着したもので、その裏板４６ａを上框３０の上面板３５の裏面に固着具、例えばビス３６で固着して取付けてある。
前記裏板４６ａ、上框３０の上面板３５には孔４６ｃ，３５ａがナット４６ｂの雌ねじ孔４６ｄと同心状に形成され、この各孔４６ｃ，３５ａを通して前記ねじ杆４５ａがナット４６ｂの雌ねじ孔４６ｄに螺合するようにしてある。
【００２７】
前記ハンガー本体４０の一部分、例えば横板４０ａの長手方向一端部を下向きに折り曲げ、その折り曲げ片４０ｃを持ち上り規制手段４４としている。
このようにすれば、一枚の板材を折り曲げ加工してハンガー本体４０を板金加工する際に持ち上り規制手段４４を形成できるので、特別な加工が不要である。
なお、持ち上り規制手段４４はハンガー本体４０と別体とし、接着、ビス止め、リベットなどによってハンガー本体４０に固着して取付けるようにしても良い。
【００２８】
前述の実施の形態では、建具体３を吊り下げ支持した状態で、雄ねじ部材４５がハンガー本体４０に対して建具体３とともに上方に移動するようにしたが、雄ねじ部材４５にナットを螺合し、建具体３を吊り下げ支持した状態で、そのナットをハンガー本体４０（横板４０ａの下面）に締め付けて雄ねじ部材４５をハンガー本体４０に連結して上下に移動しないようにしても良い。
このようにすれば、建具体３に上向力が作用しても建具体３は大きく上方に移動することはない。つまり、ガイドローラと上レール１の上面板１２との間の隙間だけ上方に移動する。
【００２９】
前述の実施の形態では、上ねじ部材を雄ねじ部材４５、下ねじ部材を雌ねじ部財４６としたが、上ねじ部材を雌ねじ部材、下ねじ部材を雄ねじ部材としても良い。
例えば、上部に大径部を備えた杆体にねじ穴を形成して雌ねじ部材とし、その杆体をハンガー本体４０に吊り下げ支持して上ねじ部材とし、この杆体のねじ穴と螺合するボルトを雄ねじ部材とし、そのボルトを建具３の上部に固定して下ねじ部材とする。
【図面の簡単な説明】
【００３０】
【図１】本発明の実施の形態を示す上吊り式の建具の概略正面図である。
【図２】図１の縦断面図である。
【図３】図１のＡ−Ａ拡大詳細断面図である。
【図４】図３のＢ−Ｂ断面図である。
【図５】建具体を下レールに載置した状態の断面図である。
【図６】上レールにハンガー本体を支持すると共に、建具体を下レールに載置した状態の上部分の正面図である。
【図７】雄ねじ部材と雌ねじ部材が合致した状態の上部分の正面図である。
【符号の説明】
【００３１】
１…上レール、２…下レール、２ａ…ガイド受部、３…建具体、３ａ…ガイド部、３ｂ…上面、４…ハンガー、４０…ハンガー本体、４１…一側ガイドローラ、４２…他側ガイドローラ、４３…連結手段、４４…持ち上り規制手段、４５…雄ねじ部材（上ねじ部材）、４６…雌ねじ部材（下ねじ部材）、４７…ロック用のナット。
【図１】
0004831772.tif 000002
【図２】
0004831772.tif 000003
【図３】
0004831772.tif 000004
【図４】
0004831772.tif 000005
【図５】
0004831772.tif 000006
【図６】
0004831772.tif 000007
【図７】
0004831772.tif 000008